(57)【要約】      （修正有）【課題】構成がシンプルであって眼鏡使用者において容易に装着及び取り外しを実現し得るマスクを提供する。【解決手段】眼鏡使用者用透明マスクは、透明かつ湾曲変形自在の状態にて眼鏡使用者の顔をガードするマスク片１を採用し、マスク片１の上部左右両側の一方側にゴム片３を突設し、かつ他方側にＬ字状又は逆Ｌ字状の切込み４を設けることによって眼鏡２のフレーム２１と着脱自在とするか、又はマスク片１の上部左右両側に、Ｌ字状及び逆Ｌ字状の切込み４を設けることによってフレーム２１と着脱自在とするか、又はマスク片１の上部左右両側及びフレーム２１の両側に貼着用布片を貼着することによって、貼着用布片を介してフレーム２１と着脱自在とすることによって、眼鏡使用者は極めて簡単に透明マスクを顔に装着し、かつ取り外すことができる。【選択図】図１
0003229471.tif 000002
【実用新案登録請求の範囲】
【請求項１】
透明かつ湾曲変形自在の状態にて眼鏡使用者の顔をガードするプラスチック製のマスク片を採用しており、前記マスク片における上側の左右両側の一方側に、当該眼鏡においてレンズに接続しかつ耳当部を有するフレームを挿通した上で締着するゴム片を突設する一方、前記両側の他方側端にてＬ字状又は逆Ｌ字状のライン状の切込みを設け、前記フレームを、Ｌ字状又は逆Ｌ字状の左右方向ラインに沿って挿入し、かつ上下方向ラインに沿って移動した上でＬ字状又は逆Ｌ字状の切込みの上端にて前記フレームを当接することによって、前記マスク片に前記フレームを装着すると共に、前記フレームをＬ字状又は逆Ｌ字状の切込み内にて逆方向に移動し、かつ前記ゴム片への挿通状態から離脱することによって、前記マスク片から前記フレームを取り外すことによって、前記マスク片と前記フレームとを着脱自在としている眼鏡使用者用透明マスク。
【請求項２】
透明かつ湾曲変形自在の状態にて眼鏡使用者の顔をガードするプラスチック製のマスク片を採用しており、前記マスク片における上側の左右両側端に、Ｌ字状及び逆Ｌ字状のライン状の切込みを設け、当該眼鏡においてレンズに接続しかつ耳当部を有するフレームを、Ｌ字状及び逆Ｌ字状の左右方向ラインに沿って挿入し、かつ上下方向ラインに沿って移動した上でＬ字状及び逆Ｌ字状の切込みの上端にて前記フレームを当接することによって、前記マスク片に前記フレームを装着すると共に、前記フレームをＬ字状及び逆Ｌ字状の切込み内にて逆方向に移動することによって、前記マスク片から前記フレームを取り外すことによって、前記マスク片と前記フレームとを着脱自在としている眼鏡使用者用透明マスク。
【請求項３】
透明かつ湾曲変形自在の状態にて眼鏡使用者の顔をガードするプラスチック製のマスク片を採用しており、前記マスク片における上側の左右両側に貼着用布片を粘着する一方、当該眼鏡においてレンズに接続しかつ耳当部を有するフレームの両側に貼着用布片を粘着し、双方の貼着用布片同士を貼着し合うことによって、前記マスク片に前記フレームを装着すると共に、双方の貼着用布片の貼着状態を剥がすことによって、前記マスク片から前記フレームを取り外すことによって、前記マスク片と前記フレームとを前記各貼着用布片を介して着脱自在としている眼鏡使用者用透明マスク。
【請求項４】
Ｌ字状及び逆Ｌ字状の切込みにおいて、上下方向の長さにつき、前記フレームを、Ｌ字状及び逆Ｌ字状のコーナー部分に当接した場合に、マスク片の左右両側の中央部及びその近傍における下端が口部の上側であり、かつ口部の近傍に配置されるような寸法であることを特徴とする請求項２記載の眼鏡使用者用透明マスク。
【請求項５】
マスク片が折り曲げ自在であることを特徴とする請求項１、２、３、４の何れか一項に記載の眼鏡使用者用透明マスク。
【請求項６】
マスク片の眼鏡側及び／又は当該眼鏡と反対側の面が光線を透過するも反射しない表面構成であることを特徴とする請求項１、２、３、４、５の何れか一項に記載の眼鏡使用者用透明マスク。
【請求項７】
マスク片に空気の透過が可能である孔を全領域又は口及び／若しくは鼻を被覆する領域に設けていることを特徴とする請求項１、２、３、４、５、６の何れか一項に記載の眼鏡使用者用透明マスク。
【請求項８】
孔の径が０．１ｍｍ以下であることを特徴とする請求項７記載の眼鏡使用者用透明マスク。
【考案の詳細な説明】
【技術分野】
【０００１】
本考案は、眼鏡使用者の顔面をガードする透明マスクを対象としている。
【背景技術】
【０００２】
眼鏡を使用すると否とを問わず、顔面全体をガードするマスクは、全領域を透明状態とするか又は目及びその近傍に対応する領域を透明とする構成が採用されており、このような構成は、特許文献１及び同２に示すように、既に公然と知られている。
【０００３】
然るに、特許文献１及び同２に示すように、このような顔面全体をガードするマスクは、顔面に装着するために必要な大掛かりかつ複雑な構成を採用している。
【０００４】
即ち、特許文献１及び同２においては、透明なマスクの周辺領域において、額、頬、及び顎に当接した状態にて装着するための格別の器具を必要としている。
【０００５】
その結果、このような器具の採用を伴う複雑な構成は、使用の際の着脱が煩雑である一方、装着したイメージが決して良好ではない。
【０００６】
しかも、眼鏡の使用者がマスクを装着する場合について格別の工夫が行われている訳ではない。
【０００７】
尤も、近年透明なマスク片と眼鏡とを一体化した製品が頒布されているが、このような製品は、マスク片と眼鏡のフレームとを着脱自在とするような構成ではない。
【先行技術文献】
【特許文献】
【０００８】
【特許文献１】特表２００１−５０５０８０号公報
【特許文献２】特表２００１−５１４９４８号公報
【考案の概要】
【考案が解決しようとする課題】
【０００９】
本考案は、構成がシンプルであって眼鏡使用者において容易に装着及び取り外しを実現し得るマスクを提供することを課題としている。
【課題を解決するための手段】
【００１０】
前記課題を解決するため、本考案の基本構成は、
（１）．透明かつ湾曲変形自在の状態にて眼鏡使用者の顔をガードするプラスチック製のマスク片を採用しており、前記マスク片における上側の左右両側の一方側に、当該眼鏡においてレンズに接続しかつ耳当部を有するフレームを挿通した上で締着するゴム片を突設する一方、前記両側の他方側端にてＬ字状又は逆Ｌ字状のライン状の切込みを設け、前記フレームを、Ｌ字状又は逆Ｌ字状の左右方向ラインに沿って挿入し、かつ上下方向ラインに沿って移動した上でＬ字状又は逆Ｌ字状の切込みの上端にて前記フレームを当接することによって、前記マスク片に前記フレームを装着すると共に、前記フレームをＬ字状又は逆Ｌ字状の切込み内にて逆方向に移動し、かつ前記ゴム片への挿通状態から離脱することによって、前記マスク片から前記フレームを取り外すことによって、前記マスク片と前記フレームとを着脱自在としている眼鏡使用者用透明マスク、
（２）．透明かつ湾曲変形自在の状態にて眼鏡使用者の顔をガードするプラスチック製のマスク片を採用しており、前記マスク片における上側の左右両側端に、Ｌ字状及び逆Ｌ字状のライン状の切込みを設け、当該眼鏡においてレンズに接続しかつ耳当部を有するフレームを、Ｌ字状及び逆Ｌ字状の左右方向ラインに沿って挿入し、かつ上下方向ラインに沿って移動した上でＬ字状及び逆Ｌ字状の切込みの上端にて前記フレームを当接することによって、前記マスク片に前記フレームを装着すると共に、前記フレームをＬ字状及び逆Ｌ字状の切込み内にて逆方向に移動することによって、前記マスク片から前記フレームを取り外すことによって、前記マスク片と前記フレームとを着脱自在としている眼鏡使用者用透明マスク、
（３）．透明かつ湾曲変形自在の状態にて眼鏡使用者の顔をガードするプラスチック製のマスク片を採用しており、前記マスク片における上側の左右両側に貼着用布片を粘着する一方、当該眼鏡においてレンズに接続しかつ耳当部を有するフレームの両側に貼着用布片を粘着し、双方の貼着用布片同士を貼着し合うことによって、前記マスク片に前記フレームを装着すると共に、双方の貼着用布片の貼着状態を剥がすことによって、前記マスク片から前記フレームを取り外すことによって、前記マスク片と前記フレームとを前記各貼着用布片を介して着脱自在としている眼鏡使用者用透明マスク、
からなる。
【考案の効果】
【００１１】
本考案においては、透明かつ湾曲変形自在であるプラスチック製のマスク片における上側の左右両側にて、基本構成（１）のように、突設したゴム片及びＬ字状又は逆Ｌ字状の切込みを設けるか、基本構成（２）のように、Ｌ字状及び逆Ｌ字状の切込みを設けるか、基本構成（３）のように、貼着用布片を粘着し、かつ眼鏡のフレームの両側にも貼着用布片を粘着することによって、透明マスク片と眼鏡のフレームとを着脱することによって、眼鏡使用者は極めて簡単に透明マスクを顔に装着しかつ取り外すことができる。
【００１２】
しかも、このようなシンプルな構成は、製造する場合に然したる労力及び経費を要する訳ではなく、経済的コストにおいても有利である。
【００１３】
更には、眼鏡使用者が透明マスクを顔面に装着した場合においても、特許文献１及び同２のような従来技術のように複雑な装着器具を不要としている関係上、極めてスマートなイメージを形成することができ、外観においても従来技術に比し優れている。
【図面の簡単な説明】
【００１４】
【図１】基本構成（１）の構成を示しており、（ａ）は、マスク片及びその上部左右両側に突設したゴム片による締着及びＬ字状又は逆Ｌ字状の切込みに対する当接によって眼鏡のフレームをマスク片に挿着した状態を示す平面図であり（尚、（ａ）においては、逆Ｌ字状の切込みを示すが、Ｌ字状の切込みは、図２（ａ）の左側の切込みによって察知することができる。尚、ゴム片の存在領域については、点線によって図示する。）、（ｂ）、（ｃ）は、それぞれ眼鏡のフレームをマスク片に装着した状態を示す側断面図及び斜視図であり（尚、（ｂ）、（ｃ）においては、輪ゴム状のゴム片を採用した場合を示す。）、（ｄ）は、マスク片に設けた切込みに輪ゴム状のゴム片又は端部に突起を有するゴム片を挿入することによって、突設することによる実施形態を示す側断面図である。
【図２】基本構成（２）の構成を示しており、（ａ）は、マスク片及びその上部左右両側に設けたＬ字状及び逆Ｌ字状の切込みに対する当接によって眼鏡のフレームをマスク片に挿着した状態を示す平面図であり、（ｂ）、（ｃ）は、それぞれ眼鏡のフレームをマスク片に装着した状態を示す側断面図及び斜視図であり、（ｄ）は、特にＬ字状及び逆Ｌ字状の上下方向の長さにつき、Ｌ字状及び逆Ｌ字状のコーナー部分に眼鏡のフレームが当接した場合に、マスク片の左右両側の中央部及びその近傍における下端が使用者の口部の上側であって、しかも口部の近傍に配置されているような寸法を採用した実施形態を示す平面図である。
【図３】基本構成（３）の構成を示しており、（ａ）は、マスク片に眼鏡のフレームを貼着用布片を介して挿着した状態を示す平面図であり、（ｂ）、（ｃ）は、それぞれ眼鏡のフレームをマスク片に装着した状態を示す側断面図及び斜視図である。
【図４】基本構成（３）のマスクを眼鏡使用者が装着した状態を示す写真による図面である。
【考案を実施するための形態】
【００１５】
図１（ａ）、（ｂ）、（ｃ）に示すように、基本構成（１）においては、透明かつ湾曲変形自在の状態にて眼鏡使用者の顔をガードするプラスチック製のマスク片１を採用しており、前記マスク片１における上側の左右両側の一方側に、当該眼鏡２においてレンズに接続しかつ耳当部を有するフレーム２１を挿通した上で締着するゴム片３を突設する一方、前記両側の他方側端にてＬ字状又は逆Ｌ字状のライン状の切込み４を設け、前記フレーム２１を、Ｌ字状又は逆Ｌ字状の左右方向ラインに沿って挿入し、かつ上下方向ラインに沿って移動した上でＬ字状又は逆Ｌ字状の切込み４の上端にて前記フレーム２１を当接することによって、前記マスク片１に前記フレーム２１を装着している。
【００１６】
基本構成（１）においては、上部左右両側にてゴム片３を突設した上で、眼鏡２のフレーム２１の挿通及び締着を採用していないのは、左右両側の一方側に眼鏡２のフレーム２１にゴム片３によって締着した場合には、他方側にゴム片３を突設したところで、締着されていない眼鏡２のフレーム２１の端部がマスク片１よりも明らかに遠距離にあって、当該他方側のゴム片３に眼鏡２のフレーム２１を挿通することができないことに由来している。
【００１７】
このような状況を考慮し、基本構成（１）においては、マスク片１の上部左右両側の他方側端にてゴム片３に代えてＬ字状又は逆Ｌ字状の切込み４を設け、最初に眼鏡２のフレーム２１の一方側を突設したゴム片３に挿入し、かつ締着する一方、前記フレーム２１を、マスク片１の他方側端に設けたＬ字状又は逆Ｌ字状の切込み４に他方側の眼鏡２のフレーム２１を挿入し、かつ上方に移動した上で切込み４の上端に当接している。
【００１８】
眼鏡２の左右方向における寸法を考慮した場合、フレーム２１の一方側を突設したゴム片３によって締着した後に、Ｌ字状又は逆Ｌ字状の切込み４に眼鏡２のフレーム２１の他方側を挿通しかつ当接するためには、マスク片１の左右両側幅を眼鏡２の左右方向よりも所定の範囲にて大きく設計することによって、前記装着をスムーズに実現することができる。
【００１９】
ゴム片３のマスク片１からの突設については、図１（ｄ）に示すように、マスク片１の左右両側の一方側に２本のライン状の切込み４を設け、前記切込み４の端部に輪ゴム状態のゴム片３又は端部に前記切込み４よりも大きな肉厚を有する突起３１を備えたゴム片３を前記切込み４内に挿入し、かつスライドすることによって実現することができる。
【００２０】
基本構成（１）において、眼鏡２のフレーム２１をマスク片１から取り外すことは、最初にＬ字状又は逆Ｌ字状の切り目からフレーム２１を挿入段階と逆方向に移動することによって取り外し、次にゴム片３によって締着されているフレーム２１を挿通段階と逆方向に移動し、かつゴム片３への挿通状態から離脱することによって実現することができる。
【００２１】
このように、基本構成（１）においては、ゴム片３及びＬ字状又は逆Ｌ字状の切込み４を介してマスク片１と眼鏡２のフレーム２１とを着脱自在としている。
【００２２】
図２（ａ）、（ｂ）、（ｃ）に示すように、基本構成（２）においては、透明かつ湾曲変形自在の状態にて眼鏡使用者の顔をガードするプラスチック製のマスク片１を採用しており、前記マスク片１における上側の左右両側端に、Ｌ字状及び逆Ｌ字状のライン状の切込み４を設け、当該眼鏡２においてレンズに接続しかつ耳当部を有するフレーム２１を、Ｌ字状及び逆Ｌ字状の左右方向ラインに沿って挿入し、かつ上下方向ラインに沿って移動した上でＬ字状及び逆Ｌ字状の切込み４の上端にて前記フレーム２１を当接することによって、前記マスク片１に前記フレーム２１を装着している。
【００２３】
マスク片１の左右両側端から眼鏡２のフレーム２１を挿入し、かつＬ字状及び逆Ｌ字状の前記切込み４の上端において当接するプロセスは、基本構成（１）の場合と同様である。
【００２４】
基本構成（２）においても、眼鏡２のフレーム２１の両側を、上部左右両側に位置しているＬ字状及び逆Ｌ字状の切込み４に挿通し、かつその上端部に当接するためには、マスク片１の左右両側幅を眼鏡２のフレーム２１の左右両側幅よりも所定の範囲にて大きく設計することによって、前記装着をスムーズに実現することができる。
【００２５】
基本構成（２）においては、左右両側の一方側において、眼鏡２のフレーム２１を装着段階と逆方向に移動することによって、マスク片１から取り外し、左右両側の他方側においても同様の移動によって、前記フレーム２１をマスク片１から取り外すことができる。
【００２６】
このように、基本構成（２）においては、Ｌ字状及び逆Ｌ字状の切込み４を介して、マスク片１と眼鏡２のフレーム２１とが着脱自在の状態にある。
【００２７】
基本構成（２）においては、特に図２（ｄ）に示すように、Ｌ字状及び逆Ｌ字状の切込み４において、上下方向の長さにつき、前記フレーム２１を、Ｌ字状及び逆Ｌ字状のコーナー部分に当接した場合に、マスク片１の左右両側の中央部及びその近傍における下端が口部６の上側であり、かつ口部６の近傍に配置されるような寸法であることを特徴とする実施形態を採用することができる。
【００２８】
上記実施形態の場合には、使用者はマスク片１を、眼鏡２のフレーム２１からＬ字状及び逆Ｌ字状の切込み４のコーナー部分に当接するように上側に移動することによって、口部６をマスク片１によってカバーされていない状態とした上で、飲食及び／又は喫煙を行うことができる。
【００２９】
図３（ａ）、（ｂ）、（ｃ）に示すように、基本構成（３）においては、透明かつ湾曲変形自在の状態にて眼鏡使用者の顔をガードするプラスチック製のマスク片１を採用しており、前記マスク片１における上側の左右両側に貼着用布片５を粘着する一方、当該眼鏡２においてレンズに接続しかつ耳当部を有するフレーム２１の両側に貼着用布片５を粘着し、双方の貼着用布片５同士を貼着し合うことによって、前記マスク片１に前記フレーム２１を装着している。
【００３０】
基本構成（３）は、マスク片１の上部左右両側に粘着されている貼着用布片５及び眼鏡２のフレーム２１の両側に粘着されている粘着用布片同士の貼着によって、眼鏡２のフレーム２１のマスク片１に対する装着を実現する一方、双方の貼着状態を剥がすことによって、フレーム２１のマスク片１からの取り外しを実現しており、結局貼着用布片５を介して、マスク片１と眼鏡２のフレーム２１とを着脱自在とすることができる。
【００３１】
基本構成（３）の場合には、貼着用布片５の双方の貼着によって、眼鏡２のフレーム２１をマスク片１に装着することが可能であって、基本構成（１）、（２）のような眼鏡２のフレーム２１をマスク片１の左右両端の何れか一方又は双方に挿入することが不要であることから、マスク片１の左右両側の幅を眼鏡２のフレーム２１の左右両側幅よりも所定の範囲にて大きく設計することは必ずしも必要ではない。
【００３２】
貼着用布片５は、例えばサポーターに使用されているように、布の表面に変形自在の凹凸形状を形成することによって当該凹凸形状が他の布に食い込むか、又は当該凹凸形状同士が相互に食い込むことによって貼着状態を形成している。
【００３３】
基本構成（３）の貼着用布片５の場合には、凹凸形状の裏面においてマスク片１及び眼鏡２のフレーム２１に粘着するような粘着層を形成している。
【００３４】
透明であり湾曲変形自在の状態を実現するプラスチック製のマスク片１の形態は、プラスチック板又はプラスチックフィルムであるが、素材としては特に限定されている訳ではない。
【００３５】
即ち、熱可塑性樹脂及び熱硬化性樹脂の殆ど全てのプラスチックは透明な板状又はフィルム状を形成することができ、しかも所定の曲げ弾性率の下に、湾曲変形自在となるように製造することができる。
【００３６】
眼鏡２としては、日常生活における眼鏡だけでなく、サングラス、更には細部を拡大して観察するための拡大グラス等も包摂されている。
【００３７】
図４の写真は、基本構成（３）を採用した場合のマスクの装着状態を示すが、基本構成（３）に限らず、基本構成（１）、（２）の場合においても、透明なマスク片１を眼鏡２のフレーム２１に装着することによって図４のようなスマートなマスクの装着状態を実現することができる。
【００３８】
尚、基本構成（１）、（２）、（３）の何れの場合においても、マスク片１を通常眼鏡２のフレーム２１に装着する際、可能な限りレンズの近傍の位置に結合することによって、コンパクトなマスク片１の装着を実現することができる。
【００３９】
具体的な設計について説明するに、基本構成（１）におけるゴム片３の眼鏡２のフレーム２１を締着する寸法としては、通常上下方向にて５〜１０ｍｍを採用する場合が多く、左右方向にて２〜６ｍｍを採用する場合が多い。
【００４０】
基本構成（１）及び（２）における逆Ｌ字状の切込み４において、頑強なフレーム２１を挿脱するために必要なラインの幅は、通常４〜８ｍｍを採用する場合が多く、ラインの左右方向の高さについては、通常１．０ｃｍ〜３．０ｃｍを採用する場合が多く、上下方向のラインの高さについては、通常１．５ｃｍ〜３．０ｃｍを採用する場合が多い。
【００４１】
基本構成（３）における貼着用布片５の形状及び大きさは特に限定されないが、厚さを１ｍｍとした上で、直径２ｍｍ〜５ｍｍとする円形状、又は長径を３ｍｍ〜６ｍｍとし短径を１ｍｍ〜４ｍｍとする楕円形状、又は一辺２ｍｍ〜５ｍｍとする正方形状が採用される場合が多い（尚、図３（ａ）、（ｂ）、（ｃ）の場合には、正方形の場合を示し、図４の場合には円形状の場合を示す。）。
【００４２】
以下、実施例に即して説明する。
【実施例１】
【００４３】
実施例１は、マスク片１が折り曲げ自在であることを特徴としている。
【００４４】
このような特徴点によって、眼鏡２の使用者は、マスクを外した場合には、折り畳んだ上で所定のケースに収容することによって保存することが可能となる。
【実施例２】
【００４５】
実施例２は、マスク片１の眼鏡２側及び／又は当該眼鏡２と反対側の面が光線を透過するも反射しない表面構成であることを特徴としている。
【００４６】
このような特徴によって、本発明に係るマスクの使用者はマスク片１の眼鏡２側（裏面）における反射を避けた状態にて外観を十分展望すること及び／又は、第三者において眼鏡２の反対側（表側）における反射を避けた状態にてマスク片１及び眼鏡２の使用者を充分視察することができる。
【実施例３】
【００４７】
実施例３は、マスク片１に空気の透過が可能である孔を全領域又は口及び／若しくは鼻を被覆する領域に設けていることを特徴としている。
【００４８】
このような特徴点によって、本件のマスクの使用者は、顔面内に空気の流入及び流出を実現し、通常のマスクの場合のような息苦しさを免れるという呼吸上の効果を実現することができる。
【００４９】
特に、孔の径として０．１ｍｍ以下の場合には、外観上孔の存在が気付かれないか又は気付くのが極めて困難な状態、即ち孔が存在しない場合の構成と殆ど区別できない状態であって、スマートなイメージによる外観上の効果と上記呼吸上のメリットの双方を実現することができる。
【産業上の利用可能性】
【００５０】
このように本考案の眼鏡使用者用透明マスクは、シンプルな構成を採用した上で、眼鏡のフレームと透明なマスク片とを容易に着脱状態とする一方、デザイン性にも優れており、産業上の利用範囲は絶大である。
【符号の説明】
【００５１】
１    マスク片
２    眼鏡
２１  眼鏡のフレーム
３    ゴム片
３１  ゴム片の突起
４    切込み
５    貼着用布片
６    口部
【図１】
0003229471.tif 000003
【図２】
0003229471.tif 000004
【図３】
0003229471.tif 000005
【図４】
0003229471.tif 000006